(57)【要約】【課題】ロール形トイレットペーパーホルダーを使用する時、前回のペーパー切断縁が摘み代になるが、一般に切断縁は、カバープレートで隠れたり、ロールペーパーに密着している等で、見つけ出すことが困難であるが、その手順を簡単、容易化することを目的とする。【解決手段】カバープレートを上、下２枚とし、下カバープレートは、基板を側板に枢支し、前方部を薄い板状とし、その先端は、ロールペーパー本体に接し、上カバープレートは、着色された刃先を備えた基板で、下カバープレートの上側で、前進移動可能な状態で、下カバープレートと組み合わせる。ペーパーカット（図１参照）は、前進させた、上カバープレートの刃先で切断し、自動復元で、刃先は後退する。下カバープレートの押えによりロールペーパー本体の逆回転がなく、切断縁は、そのままロールペーパー本体の刃先の前方に残っている。次回の摘み代の切断縁は、刃先の認識と同時に、容易に簡単に認識されるのである。【選択図】図１
2015027574.tif 000002
【特許請求の範囲】
【請求項１】
ロールペーパーの筒芯を両側から保持し、カバープレートを枢支する側板を有するロールペーパーホルダーにおいて、前方部を弾性を有する薄板とした基板で側板に枢支された下カバープレートと、下カバープレートの基板の上側で、前方にスライド可能な基板で、その先端部をペーパーカッターとする上カバープレートとを、牽引部材で連結し、上カバープレートの先端の刃先と、下カバープレートの先端部の薄板の先端とが接する形で、両カバープレートを、上、下に組み合わせて、一体として、カバープレートとすることを特徴とするロールペーパーホルダー。
【請求項２】
請求項１に記載したロールペーパーホルダーにあって、下カバープレートは、前方部を弾性を有する薄板とし、その先端は、ロールペーパー本体の逆回転防止のため、常にロールペーパー本体に接し、基板中央部の上面の両側辺近傍に複数個の滑車を設け、両側面に切欠き部を作り、その下面に彫り欠き部を作り、基板の後方部上面に索引部材を受け止める突起部を設けたものとし、上カバープレートは、下カバープレート基板の上側で、前後に移動できる基板で、基板の前方部はロールペーパー本体の曲面に合わせた曲面で、その先端にペーパーカッター部を設け、前方部の上面に、プレートを前方に押圧する押圧部を設け、前方部の下面に、牽引部材を受け止める突起部を設け、基板側面の両側に、弾性薄板の鉤形の連結手を下方に伸ばし、その連結手を下カバープレートの側面の彫り欠き部に弾性を利用して嵌め込み、下カバープレートの基板の滑車で、上カバープレートが前後にスライド移動可能なものとし、ロールペーパーをカットするため、前方に押圧突出させた動作姿勢の上カバープレートが、ペーパーカット終了後、直ちに上カバープレートのカッター刃先が下カバープレートの薄板先端部に接する待機姿勢に自動復元するために、細長いコイルスプリング等の牽引部材を、上、下カバーの隙間で、上カバープレートの前方部下面の突起部と下カバープレートの基板の後方部上面の突起部とで連結させた状態で、上カバープレートと下カバープレートとを一体に組み合わせて、カバープレートを形成することを特徴とするロールペーパーホルダー。
【請求項３】
請求項１に記載したロールペーパーホルダーにあって、上カバープレートが待機状態のとき、カットされたペーパーの切断縁は、同質、同色のロールペーパー本体上にあり、見分けにくい場合があるが、切断縁は、常にロールペーパー本体上で、上カバープレートの刃先の前方で、一定の距離を保って存在しているので、切断縁を確実に見出すためには、上カバープレートの刃先の認識が第一あり、それにともない、切断縁が同時に認識できるので、そのため、美的ではなく、機能的、位置情報の目印として、上カバープレートのカット刃先を彩色したカット刃先とすることを特徴とするロールペーパーホルダー。
【発明の詳細な説明】
【技術分野】
【０００１】  本発明は、トイレットペーパーホルダーの操作手順の一部である、ロールペーパーの前回の切断縁を見出し、摘み出す動作を簡略化することを図ったロールペーパーホルダーに関する。
【背景技術】
【０００２】  従来、一般に使われているトイレットペーパーホルダーは、ロールペーパーの筒芯を両側から支持軸で保持する側板とカバープレートからなり、側板は、背面板をとおしてトイレの壁に固定され、カバープレートの後端は、側板に枢支され、先端部は、上下自在に動くよう構成されている。ロールペーパーを使用する際、ロールペーパーの切断縁を摘み、引き出し、カットする。この時、切断縁は、カバーの下側に隠れていたり、ロールペーパー本体に密着していることが多く、手指でカバーを持ち上げたり、ロールペーパーを空転させて、切断縁を見つけ、摘み出すことが必要である。これらの手順を容易にするために、色々な方法が考案されている。その中の一方法として、ロールペーパーを切断する刃先を備えたプレートを前方に移動させ、ペーパーをカット終了後、摘み代部分を発生させ、プレートを元の位置に戻す方法がある。【０００３】  平面状の上板と下板との二層で箱形に形成されたカバープレートの間に、平面状のカッタープレートを収納し、ペーパーをカットするとき、カッタープレートを押出部で前方に押し出し、ロールペーパーをカットしたあと、押し出されたカッタープレートの長さだけのペーパーを摘み代部分として残し、自動復元でカッタープレートは、カバープレートの間に収納されるものである（例えば、特許文献１参照。）。【０００４】  また、上板と下板とで袋状に形成したケーシングを、ロールペーパーをカットする切断刃を備えたカッタープレートを、スライド可能な状態で内装して、カバープレートに固着し、ペーパーをカットするとき、カッタープレートを前方に引し出し、ペーパーをカットし、終了すると、前方に引き出された長さだけのペーパーを摘み代部分として残して、カッタープレートが、自動復元でケーシング内に収納されるものである（例えば、特許文献２参照。）。【０００５】  或は、カバープレートの下面側に、ハンドル操作で前方にスライド可能な切断刃を有したプレートを取り付け、ペーパーをカットするとき、ハンドルを前倒し、せり出した刃先で、ペーパーをカットし、せり出した長さだけ摘み代としてペーパーを残し、刃先を有したプレートを自動復元させるものであり、ペーパーカッタープレートの復元動作は、ロールペーパー本体に直接、接触しているものである（例えば、特許文献３参照。）。【０００６】  また、カバープレートの両側下方に滑動用溝を設けて、スライドカッターを保持し、ペーパーをカットするときは、カバープレート上面に突出させたスライドレバーで、スライドカッターを前進させ、ペーパーをカットし、スライドカッターを前進させた長さだけのペーパーを摘み代として残し、スライドカッターは、自動復元する。ペーパーカッタープレートが直接、ロールペーパーに接しており、復元時のロールペーパーの逆回転を防止するため、特別な芯ローラを有している（例えば、特許文献４参照。）。
【先行技術文献】
【特許文献】
【０００７】
【特許文献１】  公開特許公報  特開２００６−８７６６２
【特許文献２】  公開特許公報  特開２００１−３４０２５５
【特許文献３】  公開特許公報  特開平８−８４６８６
【特許文献４】  公開実用新案公報  実開平７−３４９１
【発明の概要】
【発明が解決しようとする課題】
【０００８】  以上に述べた、ペーパーの摘み代を確実に残すため、ペーパーカット時、カッタープレートの刃先を露出させた状態で、ペーパーカットをする不安全行為（文献１、文献２）や、カバープレートの下側にあるカッタープレートがペーパーカット終了後、自動復元するとき、ロールペーパー本体を逆回転させようとする（文献３、文献４）問題があった。また、残されたペーパー切断縁が、同質、同色のロールペーパー本体上に存在する時は、切断縁を、速やかに認識することが困難な問題がある。【０００９】  本発明は、このような問題を解決し、ロールペーパー使用時、ロールペーパーの切断縁を容易に見出し、簡単に摘み出せるようにすることを目的とするものである。
【課題を解決するための手段】
【００１０】  そして、本発明は、上記目的を達成するために、ロールペーパーの筒芯を両側から保持し、カバープレートを枢支する側板を有するロールペーパーホルダーにおいて、前方部を弾性を有する薄板とした基板で側板に枢支された下カバープレートと、下カバープレートの基板の上側で、前方にスライド可能な基板で、その先端部をペーパーカッターとする上カバープレートとを、牽引部材で連結し、上カバープレートの先端の刃先と、下カバープレートの先端部の薄板の先端とが接する形で、両カバープレートを、上、下に組み合わせて、一体として、カバープレートとするものである。【００１１】  上、下２枚に組み合わせてカバープレートとしたロールペーパーホルダーにあって、下カバープレートは、前方部を弾性を有する薄板とし、その先端は、ロールペーパー本体の逆回転防止のため、常にロールペーパー本体に接し、基板中央部の上面の両側辺近傍に複数個の滑車を設け、両側面に切欠き部を作り、その下面に彫り欠き部を作り、基板の後方部上面に索引部材を受け止める突起部を設けたものとし、上カバープレートは、下カバープレート基板の上側で、前後に移動できる基板で、基板の前方部はロールペーパー本体の曲面に合わせた曲面で、その先端にペーパーカッター部を設け、前方部の上面に、プレートを前方に押圧する押圧部を設け、前方部の下面に、牽引部材を受け止める突起部を設け、基板側面の両側に、弾性薄板の鉤形の連結手を下方に伸ばし、その連結手を下カバープレートの側面の彫り欠き部に弾性を利用して嵌め込み、下カバープレートの基板の滑車で、上カバープレートが前後にスライド移動可能なものとし、ロールペーパーをカットするため、前方に押圧突出させた動作姿勢の上カバープレートが、ペーパーカット終了後、直ちに上カバープレートのカッター刃先が下カバープレートの薄板先端部に接する待機姿勢に自動復元するために、細長いコイルスプリング等の牽引部材を、上、下カバーの隙間で、上カバープレートの前方部下面の突起部と下カバープレートの基板の後方部上面の突起部とで連結させた状態で、上カバープレートと下カバープレートとを一体に組み合わせて、カバープレートを形成するものである。【００１２】  上カバープレートが待機状態のとき、カットされたペーパーの切断縁は、同質、同色のロールペーパー本体上にあり、見分けにくい場合があるが、切断縁は、常にロールペーパー本体上で、上カバープレートの刃先の前方で、一定の距離を保って存在しているので、切断縁を確実に見出すためには、上カバープレートの刃先の認識が第一あり、それにともない、切断縁が同時に認識できるので、そのため、美的ではなく、機能的、位置情報の目印として、上カバープレートのカット刃先を彩色したカット刃先とするものである。【００１３】    上記、第１の課題解決手段による作用は、次の通りである。すなわち、摘み代としてのペーパー切断縁が、カッター刃先の下に隠れていたりして、不明のとき、カバーを手指で上げて、ペーパーを探し出し、ペーパーを引き出す必要があったが、本発明は、ペーパー切断縁を探し出す必要がなく、常に、ロールペーパー本体上で、切断縁が、摘み出せる状態で存在しているのである。摘み出したペー��ーは、前進押圧された上カバープレートの刃先で、ペーパーカットされ、カット刃先は、瞬時に後退するので、ペーパーの切断縁は、ロールペーパー本体の表面に密着することが少なく、逆に、逆回転防止状態のロールペーパー本体上で、高速で後退する刃先の引き込もうとする空気圧で、やや浮き上がるような状態で、カット刃先と一定の距離を保って、常に、刃先の前方に存在するのである。【００１４】    また、第２の課題解決の手段による作用は、同質、同色のロールペーパー本体上でのペーパー切断縁の認識が困難な場合でも、着色したカット刃先の認識は、容易であり、カット刃先の前方の一定の距離のところに、常に、切断縁があるとの認識で、刃先の認識と同時にペーパー切断縁の存在を認識するのである。
【発明の効果】
【００１５】  上述したように、本発明のペーパーホルダーは、ロールペーパー本体上のペーパー切断縁を容易に見つけ出し、摘み代により引き出されたペーパーを、確実に、安全にペーパーカットを行える効果がある。
【図面の簡単な説明】
【００１６】
【図１】  本発明のペーパーカット時の実施形態を示すロールペーパーホルダーの一部欠損した斜視図。
【図２】  （Ａ）同ホルダーの上カバープレートの斜視図。（Ｂ）同ホルダーの下カバープレートの斜視図。
【図３】  同ホルダーの上、下カバープレートの待機姿勢の状態の側板等の一部欠損した側面図。
【図４】  同ホルダーの上、下カバープレートのペーパーカットの動作状態の側板等の一部欠損した側面図。
【発明を実施するための形態】
【００１７】  以下、本発明の実施の形態を図１〜図４に基づいて説明する。
【００１８】  図１は、ロールペーパー１を引き出し、カットする状態の斜視図（いずれも、手指の図示は、省略）であり、上カバープレート２上にある押圧部３を押圧したことにより、前方勾配のある、上カバープレート２が、下カバープレート４の上側をスライドして、前方にせり出し、先端部５をロールペーパー本体に押圧し、引張り出されていたペーパー１を、上カバープレートの刃先９で、ロールペーパー本体６から、カットしている動作状態を表している。
【００１９】  図２（Ａ）は、上カバープレート２（以下、上カバー）の斜視図であり、上カバーの基板７の前方部８は、ロールペーパー本体６の円みに添うような曲面をもち、その先端部５の先端に刃先９を備え、前方部８の上面側に、押圧部３を、また、その付近の下面側に、牽引部材を止める穴を有する突出部（上カバー）１０を左右２個所に設け、基板７の両側縁に、それぞれ２個所、弾性を有する薄板で鉤形の連結手１１を、下カバープレート４側に下している。
【００２０】  図２（Ｂ）は、下カバープレート４（以下、下カバー）の斜視図であり、上カバーの基板７と同心円の曲りをもつ下カバーの基板１２で、基板１２の後部で、側板１３に枢支１４し、基板１２の前方部は、弾性を持つ薄い押え板１５で、その先端１６は、常にロールペーパー本体６を自重で軽く押えることで、上カバーがペーパーカット終了の動作態勢から、速やかに待機状態に復元するとき、上カバーの刃先９がロールペーパー本体の表面を後方へ接触移動し、ロールペーパー本体６を逆回転させようと働くことを防止し、また、下カバー基板１２の上面で、上カバーの基板７を載せ前後に自由に移動可能にするため、下カバー基板１２の上面の両側辺近くに、小型滑車１７を４個所に設け、下カバー基板１２の両側面に切欠き部１８を２個所ずつ計４個所作り、その下側を彫り欠き部１９とし、上カバーの弾力のある連結手１１を抱え込める状態で形成しており、切欠き部１８の長さは、上カバーが前方へ、スライドする距離ｄ（図３、図４に表示）になるようにしており、下カバー基板１２の後方上面に、細長いコイルスプリング２０等の牽引部材の他端を止められる穴を有す突出部（下カバー）２１を左右２個所に設ける。
【００２１】  図３は、本発明のホルダーが待機姿勢の状態のときの、上カバー２、下カバー４の組み合せを表す側面図であり、上カバーの刃先９は、下カバーの押え板１５の先端１６に接した状態で、ロールペーパー本体６を自重で軽く押えており、刃先９の前方、ロールペーパー本体６の上に、前回の切断縁２２があり、切断縁２２と、刃先９までのペーパー２３（長さｄ）が、次回、使用時の摘み代２３に使われるのである。切断縁２２は、刃先９がペーパー切断後、上、下カバーの間に存在する、細長いコイルスプリング２０の牽引力により、直ちに後退するので、ロールペーパー本体に密着する可能性は少ない。
【００２２】  図４は、本発明のホルダーが、ロールペーパーを切断直前の上カバー、下カバーの動作状態を表す側面図であり、一方の手指で、摘み代２３を摘み、ロールペーパーを引き出し、他方の手指で、上カバー押圧部３で、上カバー２を前進、押圧した状態で、引き出したペーパーを切断するのである。上カバーの刃先９と下カバーの押え板先端１６との距離ｄ（図示）が、次回、使用者がペーパーを引き出す際の摘み代２３（図３参照）となるのである。
【００２３】  以下、上記構成の動作を説明する。上、下２枚が一体となったカバープレートを備えたペーパーホルダーにおいて、ロールペーパー本体上に存在している摘み代２３（図３参照）のペーパーを一方の手指で引き出し、他方の手指で、上カバーを押圧部３で前進させ（前進距離ｄの長さで必ず止まるのであるが）（図４参照）、ロールペーパー本体６に押圧し、一方の手指で引き出しているペーパーを、上カバーの刃先９で切断する（図１参照）。他方の手指を離すと、自動復元装置により、上カバーの刃先９は、直ちに、ロールペーパー本体６に接触しながら、待機状態（図３参照）にもどる。その時、下カバー先端１６の逆回転防止作用で、ロールペーパー本体６の逆回転は起らず、ペーパー切断縁２２は、ロールペーパー本体に密着することなく、むしろ刃先９が急速に後方に移動するとき、刃先の引きつける空気圧で、やや浮き上がるような状態で、ロールペーパー本体６上で、刃先９の前方に残るのである（図３参照）。次回、使用者は、たとえ、ペーパーホルダーが、照明の少ない場所に設置されていても、ロールペーパー本体６上にある切断縁２２は、着色された刃先９の前方で、常に一定の距離ｄ（図３参照）に存在するので、刃先の確認と同時に切断縁２２が、確認され、その結果、切断縁２２を、摘み代２３として、容易に、且つ、簡単に、摘みとれる効果がある。また、このペーパーをカットする操作は、上カバーの刃先９が、ロールペーパー本体６に接しているので、子供、老人を問わず、全ての使用者に安全状態を提供している。
【００２４】  なお、この発明は、上記の実施形態に限られるものでなく、上カバープレートのスライド方法や、上、下カバープレートの組合せ方法、牽引方法、上カバープレートの刃先の目印方法など、その要旨を逸脱しない範囲において、種々の態様において、実施することが可能である。
【産業上の利用可能性】
【００２５】  本発明のトイレットペーパーホルダーは、切断縁２２が明確に認識され、また、摘み代２３が、容易に、且つ、安全に、摘み出せるので、側板１３の形状等を変更、改善することにより、キッチン用ロールペーパーホルダーとして利用できるのである。
【符号の説明】
【００２６】１    ロールペーパー
２    上カバープレート
３    押圧部
４    下カバープレート
５    上カバープレートの先端部
６    ロールペーパー本体
７    上カバーの基板
８    上カバーの基板の前方部
９    刃先
１０  突出部（上カバー）
１１  連結手
１２  下カバーの基板
１３  側板
１４  枢支（点）
１５  薄い押え板
１６  薄い押え板の先端
１７  小型滑車
１８  切欠き部
１９  彫り欠き部
２０  細長いコイルスプリング
２１  突出部（下カバー）
２２  切断縁
２３  ペーパーｄ（摘み代）
２４  筒芯
２５  支持軸
２６  背面板
【図１】
2015027574.tif 000003
【図２】
2015027574.tif 000004
【図３】
2015027574.tif 000005
【図４】
2015027574.tif 000006